(57)【要約】    【課題】  本発明に関わる携帯電子機器は、機器筐体に該機器筐体を繋留して保持する繋留手段を設け、かつ機器筐体に警報装置を搭載するとともに、機器筐体に警報装置の起動スイッチを動作させるスライド式スイッチ操作体を設けて成る携帯電子機器を対象とし、上記警報装置を容易な操作によって作動させることの可能な携帯電子機器を提供することにある。    【解決手段】  本発明は、機器筐体の一方端部に繋留手段を設けるとともに、機器筐体の他方端部にスライド式スイッチ操作体を設け、かつスライド式スイッチ操作体を、機器筐体の一方端部から離隔する方向へスライドさせた際に、起動スイッチがＯＮ動作する態様で設置したことを特徴とする。    【選択図】  図１
2008193459.tif 000002
【特許請求の範囲】
【請求項１】
機器筐体に該機器筐体を繋留して保持する繋留手段を設け、かつ前記機器筐体に警報装置を搭載するとともに、前記機器筐体に前記警報装置の起動スイッチを動作させるスライド式スイッチ操作体を設けて成る携帯電子機器であって、
前記機器筐体の一方端部に前記繋留手段を設けるとともに、前記機器筐体の他方端部に前記スライド式スイッチ操作体を設け、かつ前記スライド式スイッチ操作体を、前記機器筐体の一方端部から離隔する方向へ移動させた際に、前記起動スイッチがＯＮ動作する態様で設置したことを特徴とする携帯電子機器。
【発明の詳細な説明】
【技術分野】
【０００１】
本発明は、携帯電話機等の携帯電子機器に関するものであり、詳しくは、防犯ブザー等の警報装置を搭載して成る携帯電子機器に関する。
【背景技術】
【０００２】
例えば、セキュリティーシステムの一態様として、携帯端末と公衆回線網とを組合せて成るものがある(例えば、特許文献１参照)。  
上記セキュリティーシステムにおける携帯端末の本体には、ストラップの係留されたプルリングが装着されており、緊急時に使用者が端末本体からプルリングを引き抜いた際、予め端末本体に登録されているヘルプＩＤが、電波によって中継装置に送信され、次いで公衆回線網を介してセンター装置からヘルプ連絡先に送信され、端末本体からプルリングが引き抜れたこと、すなわち緊急事態がヘルプ連絡先に知らされるよう構成されている。
【０００３】
また、セキュリティーを考慮した携帯電子機器の一例として、防犯ブザー等の警報装置を搭載した携帯電話機(携帯電子機器)が提供されており、図６および図７に示した、折畳み式の携帯電話機Ａは、ヒンジ部Ｈを介して下筐体Ｂと開閉自在に連結された上筐体Ｃに、警報装置を構成するブザースピーカ(図示せず)が組み込まれ、上記上筐体Ｃにはブザースピーカ用の音孔Ｃｏが形成されている。
【０００４】
一方、上記携帯電話機Ａにおける下筐体Ｂには、例えば使用者の首に掛けて使用するストラップ(繋留手段)Ｓが装着されているとともに、上記警報装置(図示せず)を動作させるためのスイッチノブ(スライド式スイッチ操作体)Nが設けられている。
【０００５】
上記スイッチノブNには、プルリングＰが繋留されており、図７中における矢印の如く
プルリングＰを引っ張り、上記スイッチノブNを常態のＯＦＦ位置(実線)からＯＮ位置(鎖線)へスライドさせることで、警報装置の起動スイッチ(図示せず)がＯＮ状態となり、上
記警報装置における防犯ブザー等が作動することとなる。
【特許文献１】特開２００５−２４３００２号公報
【発明の開示】
【発明が解決しようとする課題】
【０００６】
ところで、図６および図７に示した従来の携帯電話機Ａにおいては、ストラップＳとスイッチノブN(プルリングＰ)とが、共に下筐体Ｂにおける一方側(図中上方側)の端部に
設けられている。
【０００７】
すなわち、使用者の首にストラップＳを掛けた状態における下筐体Ｂに対するストラップＳの引っ張り方向と、警報装置を動作させる際のプルリングＰの引っ張り方向とが一致することとなる。
【０００８】
このため、使用者が携帯電話機Ａを首に掛けている状態で、プルリングＰを引っ張っても、携帯電話機Ａが上方へ連れ動くだけで、スイッチノブNをスライド動作させることは
できない。
【０００９】
したがって、上記スイッチノブNを動作させるには、使用者が一方の手で携帯電話機Ａ
を保持したのち、他方の手でプルリングＰを引っ張らなければならず、このように携帯電話機Ａの持ち直しや両手の使用を強いられることは、咄嗟の行動を必要とする緊急時における操作性に大きな問題を残すこととなる。
【００１０】
上記実状に鑑みて本発明の目的は、機器筐体に搭載された警報装置を容易な操作によって作動させることの可能な携帯電子機器を提供することにある。
【課題を解決するための手段】
【００１１】
上記目的を達成するべく、本発明に関わる携帯電子機器は、機器筐体に該機器筐体を繋留して保持する繋留手段を設け、かつ機器筐体に警報装置を搭載するとともに、機器筐体に警報装置の起動スイッチを動作させるスライド式スイッチ操作体を設けて成る携帯電子機器であって、機器筐体の一方端部に繋留手段を設けるとともに、機器筐体の他方端部にスライド式スイッチ操作体を設け、かつスライド式スイッチ操作体を、機器筐体の一方端部から離隔する方向へ移動させた際に、起動スイッチがＯＮ動作する態様で設置したことを特徴としている。
【発明の効果】
【００１２】
本発明に関わる携帯電子機器によれば、機器筐体の一方端部から離隔する方向へスライドさせた際に、起動スイッチがＯＮ動作するようスライド式スイッチ操作体を設置したことで、機器筐体の一方端部に設けられた繋留手段により、例えば使用者の首に携帯電子機器を掛けた状態において、機器筐体に対する繋留手段の引っ張り方向と、起動スイッチをＯＮ動作させるスライド式スイッチ操作体の移動方向とが、互いに反対方向を向くこととなる。
【００１３】
このため、繋留手段によって携帯電子機器を使用者の首に掛けている状態であれば、機器筐体の一方端部から離隔する方向、すなわち下方へ向けてスライド式スイッチ操作体を確実にスライド動作させることができ、しかも使用者が携帯電子機器を持ち替えて保持する必要なく、片手の操作によってスライド式スイッチ操作体をスライドさせることで、警報装置を極めて容易な操作によって作動させることが可能となる。
【発明を実施するための最良の形態】
【００１４】
以下、実施例を示す図面に基づいて、本発明を詳細に説明する。  
図１〜図５は、本発明に関わる携帯電子機器を、該携帯電子機器の一態様である、防犯ブザー等の警報装置を搭載した折畳み式の携帯電話機に適用した実施例を示している。
【００１５】
図１および図２に示す如く、この折畳み式の携帯電話機１は、図示していない多数の操作キー等を有する下筐体２と、図示していない液晶表示部等を有する上筐体３とを、ヒンジ部４を介して開閉自在に連結することによって構成されており、上記下筐体２(機器筐
体)における一方端部のコーナー部には、例えば使用者の首に掛けて使用するストラップ(繋留手段)１０が装着されている。
【００１６】
一方、上記携帯電話機１における上筐体３は、相対向して組付けられた上内ケース３Ｉと上外ケース３Ｏとを具備し、その内部には防犯ブザー等の警報装置(図示せず)が収容されており、上外ケース３Ｏにはブザースピーカ(図示せず)が配置されるとともに、該ブザースピーカ用の音孔３ｏが形成されている。
【００１７】
また、上記携帯電話機１における上筐体３の基端部(一方端部)は、ヒンジ部４を介して下筐体２に連結されている一方、上筐体３の他方端部には、上内ケース３Ｉおよび上外ケース３Ｏと共に上筐体３の外観を構成する、スライドパーツ(スライド式スイッチ操作体)３Ｓが設置されている。
【００１８】
上記スライドパーツ３Ｓは、上述した上内ケース３Ｉおよび上外ケース３Ｏに対して、図１(ａ)および図２(ａ)に示す如き常態位置と、図１(ｂ)および図２(ｂ)に示す如き引出位置との間を、ストラップ１０が装着されている下筐体２(機器筐体)の一方端部に対して、近接／離反する方向に沿ってスライド自在に組み付けられている。
【００１９】
また、上記スライドパーツ３Ｓには、プルリング２０Bがバンド２１を介して繋留され
ており、上記プルリング２０を矢印Ｐ方向に引っ張ることで、常態位置に在るスライドパーツ３Ｓを引出位置へスライド移動させることができる。
【００２０】
なお、上外ケース３Ｏに臨むスライドパーツ３Ｓの端部外面には、操作突起３ｎが形成されており、上記操作突起３ｎに指を掛けることで、上記スライドパーツ３Ｓを直接にスライド移動させることもできる。因みに、スライドパーツ３Ｓに臨む上外ケース３Ｏの端部外面には、操作突起３ｎへの指掛かりを助けるための窪み３ｒが形成されている。
【００２１】
図３および図４に示す如く、上記スライドパーツ３Ｓには、上外ケース３Ｏの内面に沿って延在するスライドプレート３Ｓｔが一体に形成されており、このスライドプレート３Ｓｔの表面には、スライドパーツ３Ｓのスライド方向に沿って、左右一対の第１溝３Ｓａ、３Ｓａと、同じく左右一対の第２溝３Ｓｂ、３Ｓｂとが並列して形成されている。
【００２２】
一方、上外ケース３Ｏには、上記スライドプレート３Ｓｔに臨む態様で板バネ５がネジ止めされており、図３に示す如く、上記板バネ５における舌片５ｔの凸部５ａが、スライドプレート３Ｓｔの第１溝３Ｓａと係合することにより、上記スライドパーツ３Ｓは、常態位置においてロックされることとなる。
【００２３】
また、図４に示す如く、上記スライドパーツ３Ｓを矢印Ｐ方向へスライド移動させた際、上記板バネ５における舌片５ｔの凸部５ａが、スライドプレート３Ｓｔの第２溝３Ｓｂと係合することにより、上記スライドパーツ３Ｓは、引出位置においてロックされることとなる。
【００２４】
図５に示す如く、上筐体３の内部に収容設置された配線基板６には、警報装置(図示せ
ず)を動作させるためのマイクロスイッチ(起動スイッチ)７が実装されている一方、上述
したスライドパーツ３Ｓと一体に形成されたスライドプレート３Ｓｔの先端には、上記マイクロスイッチ７に臨むトリガーブロック３Ｂが設けられている。
【００２５】
ここで、スライドパーツ３Ｓが常態位置に在る場合、図５(ａ)に示す如く、トリガーブロック３Ｂが、マイクロスイッチ７のアクチュエータ７ｔを押し込んでいることにより、上記マイクロスイッチ７はＯＦＦ状態を維持し、警報装置が動作されることはない。
【００２６】
一方、スライドパーツ３Ｓを矢印Ｐ方向へスライド移動させて引出位置とした際、図５(ｂ)に示す如く、トリガーブロック３Ｂが下方へ退去することにより、マイクロスイッチ７のアクチュエータ７ｔが開放され、上記マイクロスイッチ７がＯＮ状態となることで警報装置が動作し、例えばブザースピーカ(図示せず)によるブザー音が発生することとなる。
【００２７】
すなわち、上述した携帯電話機１におけるスライドパーツ３Ｓは、ストラップ１０が装着されている下筐体２(機器筐体)の一方端部から離隔する方向へ移動させた場合においてのみ、上記マイクロスイッチ７をＯＮ動作させるよう構成されている。
【００２８】
上述した構成の携帯電話機１によれば、ストラップ１０の取付けられている機器筐体の一方端部から離隔する方向へ、スライドパーツ３Ｓをスライド移動させた場合に、マイクロスイッチ７がＯＮ動作するよう構成したことで、機器筐体の一方端部に設けられたストラップ１０により、例えば使用者の首に携帯電話機１を掛けた状態において、機器筐体に対するストラップ１０の引っ張り方向と、マイクロスイッチ７をＯＮ動作させるためのスライドパーツ３Ｓの移動方向とが、互いに反対方向を向くこととなる。
【００２９】
このため、ストラップ１０によって携帯電話機１を使用者の首に掛けている状態であれば、機器筐体の一方端部から離隔する方向、すなわち下方へ向けてスライドパーツ３Ｓを確実にスライド動作させることができ、しかも使用者が携帯電話機１を持ち替えて保持する必要なく、片手の操作によってスライドパーツ３Ｓをスライド移動させることで、警報装置を極めて容易な操作によって作動させることが可能となる。
【００３０】
なお、上述した実施例においては、本発明を電子機器の一態様である携帯電話機に適用した例を示したが、防犯ブザー等の警報装置を搭載した様々な携帯電子機器においても、本発明が極めて有効に適用し得るものであることは言うまでもない。
【図面の簡単な説明】
【００３１】
【図１】(ａ)および(ｂ)は、本発明に関わる携帯電子機器の一実施例である携帯電話機を示す外観斜視図。
【図２】(ａ)および(ｂ)は、図１に示した携帯電話機の正面図。
【図３】(ａ)は図１に示した携帯電話機の上外ケースを内方から見た平面図、(ｂ)は(ａ)中の b−b 線断面図。
【図４】(ａ)は図１に示した携帯電話機の上外ケースを内方から見た平面図、(ｂ)は(ａ)中の b−b 線断面図。
【図５】(ａ)は図２(ａ)中の Va−Va 線断面図、(ｂ)は図２(ｂ)中の Vb−Vb 線断面図。
【図６】従来の携帯電子機器を示す全体斜視図。
【図７】従来の携帯電子機器を示す背面図。
【符号の説明】
【００３２】
１…携帯電話機(携帯電子機器)、
２…下筐体(機器筐体)、
３…上筐体(機器筐体)、
３Ｓ…スライドパーツ(スライド式スイッチ操作体)、
４…ヒンジ部、
５…板バネ、
６…配線基板、
７…マイクロスイッチ(起動スイッチ)、
１０…ストラップ(繋留手段)、
２０…プルリング。
【図１】
2008193459.tif 000003
【図２】
2008193459.tif 000004
【図３】
2008193459.tif 000005
【図４】
2008193459.tif 000006
【図５】
2008193459.tif 000007
【図６】
2008193459.tif 000008
【図７】
2008193459.tif 000009